(57)【要約】【課題】有効なパラメーターの取得を簡略化させることができる電子機器、パラメーター管理方法、パラメーター管理プログラム及び記録媒体を提供すること。【解決手段】所定の使用状態を示す第１情報に基づいて、調整項目の機能が当該所定の使用状態で有効であるか否かを判定する第１判定部（保存項目判定部６５４）と、第１情報に関連付けて、調整項目の機能が有効であるか否かを示す第２情報を保存する保存部（パラメーター保存部６５５）とを備え、当該保存部は、第１判定部により、調整項目の機能が有効であると判定されると、第２情報として当該調整項目の機能が有効であることを示す情報と当該調整項目のパラメーターとを保存し、第１判定部により調整項目の機能が有効でないと判定されると、第２情報として当該調整項目の機能が無効であることを示す情報を保存する。【選択図】図２
2011101081.tif 000002
【特許請求の範囲】
【請求項１】
所定の使用状態を示す第１情報に基づいて、調整される調整項目の機能が前記所定の使用状態で有効であるか否かを判定する第１判定部と、
前記第１情報に関連付けて、前記調整項目の機能が有効か否かを示す第２情報を保存する保存部と
を備え、
前記保存部は、前記第１判定部により前記調整項目の機能が有効であると判定されると、前記第２情報として前記調整項目の機能が有効であることを示す情報と前記調整項目のパラメーターとを保存し、前記第１判定部により前記調整項目の機能が有効でないと判定されると、前記第２情報として前記調整項目の機能が無効であることを示す情報を保存することを特徴とする電子機器。
【請求項２】
請求項１に記載の電子機器において、
前記第２情報に基づいて、前記調整項目の機能が有効であるか否かを判定する第２判定部と、
前記第２判定部により有効であると判定されると、当該調整項目のパラメーターを取得するパラメーター取得部とを有することを特徴とする電子機器。
【請求項３】
請求項１又は請求項２に記載の電子機器において、
それぞれ異なる複数種別の前記使用状態と、それぞれの前記使用状態で前記調整項目の機能が有効であるか否かを示す情報とが関連付けられた第３情報が記憶された記憶部と、
当該電子機器の使用状態を取得する状態取得部とを有し、
前記第１判定部は、前記第３情報及び前記状態取得部により取得される前記使用状態に基づいて、前記調整項目の機能が有効であるか否かを判定することを特徴とする電子機器。
【請求項４】
請求項１から請求項３のいずれかに記載の電子機器において、
複数種別の画像信号が入力可能に構成された入力部と、
前記入力部に入力される前記複数種別の画像信号から選択された画像信号に応じた画像を生成する画像処理部とを有し、
前記使用状態は、選択された前記画像信号の信号種別に応じた当該画像信号に基づく画像生成状態であり、
前記第１情報は、前記画像信号の信号種別を示す情報であることを特徴とする電子機器。
【請求項５】
請求項４に記載の電子機器において、
前記調整項目には、前記選択された画像信号に応じた画像の画質を調整する項目が含まれることを特徴とする電子機器。
【請求項６】
電子機器の動作に利用されるパラメーターを管理するパラメーター管理方法であって、
当該電子機器の所定の使用状態を示す第１情報に基づいて、調整される調整項目の機能が前記所定の使用状態で有効であるか否かを判定する第１判定ステップと、
前記第１情報に関連付けて、前記調整項目の機能が有効か否かを示す第２情報を保存する保存ステップと
を有し、
前記保存ステップは、前記第１判定ステップにて前記調整項目の機能が有効であると判定されると、前記第２情報として前記調整項目の機能が有効であることを示す情報と前記調整項目のパラメーターとを保存し、前記第１判定ステップにて前記調整項目の機能が有効でないと判定されると、前記第２情報として前記調整項目の機能が無効であることを示す情報を保存することを特徴とするパラメーター管理方法。
【請求項７】
電子機器の動作に利用されるパラメーターを管理するパラメーター管理プログラムであって、
前記電子機器に、
当該電子機器の所定の使用状態を示す第１情報に基づいて、調整される調整項目の機能が前記所定の使用状態で有効であるか否かを判定する第１判定ステップと、
前記第１情報に関連付けて、前記調整項目の機能が有効か否かを示す第２情報を保存する保存ステップと
を実行させ、
前記保存ステップは、前記第１判定ステップにて前記調整項目の機能が有効であると判定されると、前記第２情報として前記調整項目の機能が有効であることを示す情報と前記調整項目のパラメーターとを保存し、前記第１判定ステップにて前記調整項目の機能が有効でないと判定されると、前記第２情報として前記調整項目の機能が無効であることを示す情報を保存することを特徴とするパラメーター管理プログラム。
【請求項８】
請求項７に記載のパラメーター管理プログラムをコンピューター読取可能に記録したことを特徴とする記録媒体。
【発明の詳細な説明】
【技術分野】
【０００１】
本発明は、電子機器、パラメーター管理方法、パラメーター管理プログラム及び記録媒体に関する。
【背景技術】
【０００２】
従来、光源から出射された光束を変調して画像情報に応じた画像を形成し、当該画像を拡大投射するプロジェクターが知られている。このようなプロジェクターとして、表示する画像の画質を調整できるプロジェクターが知られている（例えば、特許文献１参照）。
この特許文献１に記載のプロジェクターでは、ＯＳＤ（On Screen Display）表示されるメニュー画像をリモコン等により操作することで、「カラーモード」、「明るさ」及び「コントラスト」等の調整項目のパラメーターを調整することができる。そして、当該プロジェクターでは、各調整項目のパラメーターに基づいて、画像データ処理部が入力画像データを処理することで、使用者の好みに応じた画像を形成及び表示することができる。また、このようなプロジェクターは、使用者の操作に応じて、当該パラメーターをメモリーに登録させることができ、また、登録されたパラメーターを読み出して、画質調整に利用することができる。
【先行技術文献】
【特許文献】
【０００３】
【特許文献１】特開２００７−７４３４７号公報
【発明の概要】
【発明が解決しようとする課題】
【０００４】
ここで、前述のパラメーターには、プロジェクターの使用状態によっては有効とならない調整項目がある。例えば、プロジェクターに入力される画像信号の信号種別がＨＤＭＩ（High-Definition Multimedia Interface）形式である場合には有効となる（機能する）が、当該画像データの信号形式がＲＧＢ形式である場合には無効となる（機能しない）調整項目がある。
これに対し、従来のプロジェクターでは、ある調整項目の機能が無効であっても、記憶部に全ての調整項目のパラメーターを記憶させている。このため、当該パラメーターをメモリーから読み出して利用する場合には、当該信号形式に応じて、各パラメーターが利用可能であるか否か、換言すると、調整項目の機能が有効であるか否かを判定する必要がある。このため、信号形式に応じて有効か否かを判定するプログラムを用意する必要があるほか、調整項目が増えると、当該プログラムを追加及び変更する必要があるという問題が生じる。
【０００５】
本発明の目的は、有効なパラメーターの取得を簡略化させることができる電子機器、パラメーター管理方法、パラメーター管理プログラム及び記録媒体を提供することである。
【課題を解決するための手段】
【０００６】
前記した目的を達成するために、本発明の電子機器は、所定の使用状態を示す第１情報に基づいて、調整される調整項目の機能が前記所定の使用状態で有効であるか否かを判定する第１判定部と、前記第１情報に関連付けて、前記調整項目の機能が有効か否かを示す第２情報を保存する保存部とを備え、前記保存部は、前記第１判定部により前記調整項目の機能が有効であると判定されると、前記第２情報として前記調整項目の機能が有効であることを示す情報と前記調整項目のパラメーターとを保存し、前記第１判定部により前記調整項目の機能が有効でないと判定されると、前記第２情報として前記調整項目の機能が無効であることを示す情報を保存することを特徴とする。
【０００７】
本発明によれば、パラメーター保存時に、第１判定部により、所定の使用状態で調整項目の機能が有効であると判定されると、保存部により、当該所定の使用状態を示す第１情報に関連付けて、当該調整項目の機能が有効であることを示す第２情報と当該調整項目のパラメーターが保存される。一方、第１判定部により、所定の使用状態で調整項目の機能が有効でないと判定されると、保存部により、当該第１情報に関連付けて、当該調整項目の機能が無効であることを示す第２情報が保存される。
【０００８】
これによれば、パラメーター取得時には、第２情報を参照することで、当該第２情報が保存された調整項目の機能が所定の使用状態で有効であるか否かを判定できる。このため、使用状態ごとに異なる手順で調整項目の機能が有効か否かを判定する場合に比べ、それぞれの使用状態において共通の手順で調整項目の機能が有効か否かを判定できるので、パラメーターの取得処理を簡略化させることができる。従って、機能が有効となる調整項目のパラメーターを簡易に取得できる。また、機能が無効となる調整項目のパラメーターは取得されないので、パラメーターの取得処理を迅速に行うことができる。
【０００９】
本発明では、前記第２情報に基づいて、前記調整項目の機能が有効であるか否かを判定する第２判定部と、前記第２判定部により有効であると判定されると、当該調整項目のパラメーターを取得するパラメーター取得部とを有することが好ましい。
本発明によれば、第２判定部が、保存された第２情報に基づいて、調整項目の機能が有効であるか否かを判定する。これによれば、パラメーター取得部によるパラメーター取得に際して、電子機器の使用状態に応じたパラメーター、すなわち、当該使用状態で有効となる調整項目のパラメーターを簡易かつ迅速に取得できる。従って、パラメーター取得に関する電子機器の処理を簡略化できる。
【００１０】
本発明では、それぞれ異なる複数種別の前記使用状態と、それぞれの前記使用状態で前記調整項目の機能が有効であるか否かを示す情報とが関連付けられた第３情報が記憶された記憶部と、当該電子機器の使用状態を取得する状態取得部とを有し、前記第１判定部は、前記第３情報及び前記状態取得部により取得される前記使用状態に基づいて、前記調整項目の機能が有効であるか否かを判定することが好ましい。
本発明によれば、第１判定部が、状態取得部により取得された使用状態に基づいて、記憶部に記憶された第３情報を参照することにより、現在の使用状態で調整項目の機能が有効であるか否かを簡易に判定できる。従って、第１判定部による判定処理を簡略化でき、当該判定処理を適切に行うことができる。
【００１１】
本発明では、複数種別の画像信号が入力可能に構成された入力部と、前記入力部に入力される前記複数種別の画像信号から選択された画像信号に応じた画像を生成する画像処理部とを有し、前記使用状態は、選択された前記画像信号の信号種別に応じた当該画像信号に基づく画像生成状態であり、前記第１情報は、前記画像信号の信号種別を示す情報であることが好ましい。
本発明によれば、選択された画像信号に応じた画像を画像処理部が生成する際に、パラメーター取得部が、当該画像信号の信号種別に応じて機能が有効となる調整項目のパラメーターを確実に取得することができる。従って、不要なパラメーターの取得処理を省略できるので、画像生成時の処理を簡略化できるほか、調整されたパラメーターに基づく画像生成を行うことができる。
【００１２】
本発明では、前記調整項目には、前記選択された画像信号に応じた画像の画質を調整する項目が含まれることが好ましい。
本発明によれば、パラメーター取得時に、使用状態に応じた画質に関する適切なパラメーターを簡易に取得することができるので、画像処理部により、使用状態に応じた適切な画質の画像を生成できる。また、このような調整項目が、使用者によるメニュー画像の操作により調整される場合には、使用者が所望する画質の画像を適切に生成できる。
【００１３】
また、本発明のパラメーター管理方法は、電子機器の動作に利用されるパラメーターを管理するパラメーター管理方法であって、当該電子機器の所定の使用状態を示す第１情報に基づいて、調整される調整項目の機能が前記所定の使用状態で有効であるか否かを判定する第１判定ステップと、前記第１情報に関連付けて、前記調整項目の機能が有効か否かを示す第２情報を保存する保存ステップとを有し、前記保存ステップは、前記第１判定ステップにて前記調整項目の機能が有効であると判定されると、前記第２情報として前記調整項目の機能が有効であることを示す情報と前記調整項目のパラメーターとを保存し、前記第１判定ステップにて前記調整項目の機能が有効でないと判定されると、前記第２情報として前記調整項目の機能が無効であることを示す情報を保存することを特徴とする。
本発明によれば、当該パラメーター管理方法を電子機器に適用することにより、前述の電子機器と同様の効果を奏することができる。
【００１４】
また、本発明のパラメーター管理プログラムは、電子機器の動作に利用されるパラメーターを管理するパラメーター管理プログラムであって、前記電子機器に、当該電子機器の所定の使用状態を示す第１情報に基づいて、調整される調整項目の機能が前記所定の使用状態で有効であるか否かを判定する第１判定ステップと、前記第１情報に関連付けて、前記調整項目の機能が有効か否かを示す第２情報を保存する保存ステップとを実行させ、前記保存ステップは、前記第１判定ステップにて前記調整項目の機能が有効であると判定されると、前記第２情報として前記調整項目の機能が有効であることを示す情報と前記調整項目のパラメーターとを保存し、前記第１判定ステップにて前記調整項目の機能が有効でないと判定されると、前記第２情報として前記調整項目の機能が無効であることを示す情報を保存することを特徴とする。
本発明によれば、当該パラメーター管理プログラムを電子機器に実行させることにより、前述の電子機器及びパラメーター管理方法と同様の効果を奏することができる。
【００１５】
また、本発明の記録媒体は、前述のパラメーター管理プログラムをコンピューター読取可能に記録したことを特徴とする。
本発明によれば、記録媒体にコンピューター読取可能に記録されたパラメーター管理プログラムを電子機器が読み取って実行することで、前述の電子機器と同様の効果を奏することが可能となる。また、記録媒体として、ＦＤ（Flexible Disc）等の磁気ディスク、ＣＤ（Compact Disc）及びＤＶＤ（Digital Versatile Disc）等の光ディスク、光磁気ディスク、ハードディスク装置、並びに、半導体メモリー等を用いることができ、これらを利用して、パラメーター管理プログラムを電子機器にてインストール及び実行できるほか、当該パラメーター管理プログラムの配布を容易に行うことができる。
【図面の簡単な説明】
【００１６】
【図１】本発明の一実施形態に係るプロジェクターの構成を示すブロック図。
【図２】前記実施形態における制御手段の機能を示すブロック図。
【図３】前記実施形態における調整項目テーブルを示す図。
【図４】前記実施形態におけるパラメーター保存テーブルを示す図。
【図５】前記実施形態におけるメニュー画像を示す図。
【図６】前記実施形態におけるメニュー画像を示す図。
【図７】前記実施形態におけるメニュー画像を示す図。
【図８】前記実施形態におけるメニュー画像を示す図。
【図９】前記実施形態におけるメニュー画像を示す図。
【図１０】前記実施形態におけるメニュー画像を示す図。
【図１１】前記実施形態におけるメニュー画像を示す図。
【図１２】前記実施形態におけるパラメーター保存処理を示すフローチャート。
【図１３】前記実施形態におけるパラメーター取得処理を示すフローチャート。
【発明を実施するための形態】
【００１７】
以下、本発明の一実施形態を図面に基づいて説明する。
図１は、本実施形態に係るプロジェクター１の構成を示すブロック図である。
本実施形態に係るプロジェクター１は、光源装置から出射された光束を変調して、ＰＣ（Personal Computer）等の画像出力装置９から入力される画像信号に応じた画像を形成し、当該画像をスクリーン等の被投射面（図示省略）に拡大投射する電子機器である。このプロジェクター１は、図１に示すように、表示手段３、入力手段４、操作手段５及び制御手段６を有するプロジェクター本体２と、リモコン７とを備える。
【００１８】
〔表示手段の構成〕
表示手段３は、制御手段６から入力される駆動信号に応じた画像を形成及び投射して、被投射面に画像を表示する。この表示手段３は、光源装置３１、光変調装置３２及び投射光学装置３３を備えている。
光源装置３１は、高圧水銀ランプ等の光源ランプ及び反射鏡であるリフレクター、或いはＬＥＤ等の固体光源を備え、光変調装置３２に光束を照射する。
【００１９】
光変調装置３２は、図示を省略するが、光源装置３１から出射された光束を変調して画像を形成する液晶パネルと、入力される駆動信号に応じて液晶パネルを駆動させるドライバーとを備える。なお、光変調装置３２は、液晶パネルを備える構成に限定されるものではなく、マイクロミラーを用いたデバイス等、液晶以外の構成を採用してもよい。
投射光学装置３３は、光変調装置３２により形成された画像を拡大投射する。この投射光学装置３３は、鏡筒と、当該鏡筒内に収納される複数のレンズとを備えた組レンズとして構成されている。
【００２０】
〔入力手段の構成〕
入力手段４は、本発明の入力部に相当し、画像出力装置９等の外部機器と制御手段６とを接続するインターフェース基板として構成されている。この入力手段４は、各種ケーブルが接続され、かつ、それぞれ異なる画像信号が入力される複数種類の端子と、当該外部機器と無線で通信接続する無線モジュールと、リモコン７から送信される赤外線信号を受光する受光モジュールとを有する。そして、当該入力手段４は、入力される画像信号及び操作信号を制御手段６に出力する。このような端子として、入力手段４は、ＨＤＭＩ（High-Definition Multimedia Interface）、ＤＶＩ（Digital Visual Interface）、Ｄ−ｓｕｂ（D-subminiature）、ＬＡＮ（Local Area Network）等の各種端子の他、コンポジットビデオ端子及びコンポーネントビデオ端子を有する。また、入力手段４は、無線モジュールとして、ＩＥＥＥ８０２．１１規格及びＩＥＥＥ８０２．１５規格に準拠した無線モジュールを有する。
【００２１】
〔操作手段の構成〕
操作手段５は、図示を省略するが、プロジェクター本体２の外面に露出して設けられた操作パネルとして構成されている。この操作手段５は、後述するメニュー画像を操作するための複数のキーを有し、入力されたキーに応じた操作信号を制御手段６に出力する。このようなキーとして、操作手段５は、メニュー画像を表示させるメニューキー、上下左右の方向キー、及び、選択された項目及び設定されたパラメーターを決定する決定キー等を有する。なお、リモコン７にも同様のキーが配設され、当該リモコン７は、入力されたキーに応じた操作信号を赤外線信号として出力する。このような操作手段５及びリモコン７は、操作手段として機能する。
【００２２】
〔制御手段の構成〕
図２は、制御手段６の機能を示すブロック図である。
制御手段６は、ＣＰＵ（Central Processing Unit）、ＲＡＭ（Random Access Memory）及びＲＯＭ（Read Only Memory）等が実装された回路基板として構成され、使用者の操作に応じて、或いは、自律的に、プロジェクター本体２を制御する。例えば、制御手段６は、前述の光源装置３１の点灯を制御するほか、入力手段４を介して入力される画像信号に応じた画像を生成し、当該画像に応じた駆動信号を光変調装置３２に出力する。この画像生成の際に、制御手段６は、使用者により設定されたパラメーターに応じた画質調整等の処理を実行する。このような制御手段６は、図２に示すように、記憶部６１、情報取得部６２、画像生成部６３、駆動制御部６４及び情報保存部６５を備える。
【００２３】
〔記憶部の構成〕
記憶部６１は、フラッシュメモリーにより構成され、プロジェクター本体２の制御に必要な各種プログラム及びデータを記憶している。例えば、記憶部６１は、後述するパラメーター保存処理及びパラメーター取得処理を含むパラメーター管理処理を実行するためのパラメーター管理プログラムを記憶しているほか、当該パラメーター管理処理に必要な各種テーブルを記憶している。このため、記憶部６１は、調整項目記憶領域６１１及びパラメーター記憶領域６１２を有する。
【００２４】
図３は、調整項目テーブルＴＢＬ１の一部を示す図である。
調整項目記憶領域６１１は、プロジェクター本体２の各種設定を行うためのメニュー画像に含める調整項目が設定された調整項目テーブルＴＢＬ１を記憶している。この調整項目テーブルＴＢＬ１には、図３に示すように、複数の調整項目Ｃ１１〜Ｃ１８，Ｃ２１〜Ｃ２４が、入力される画像信号の信号種別ごとに区分されて設定されている。これら複数の調整項目Ｃ１１〜Ｃ１８，Ｃ２１〜Ｃ２４は各信号種別で同じものである。しかしながら、当該各調整項目には、該当する信号種別において機能が有効となるか否か、換言すると、使用者による調整が可能であるか否かを示す情報（有効／無効）が設定されている。
【００２５】
例えば、「種別Ｃ１」及び「種別Ｃ２」における「調整項目Ｃ１１」（項目名：「カラーモード」）には、それぞれ「有効」が設定されている。これは、「種別Ｃ１」及び「種別Ｃ２」のそれぞれで、当該調整項目Ｃ１１の機能が有効であり、また、当該調整項目Ｃ１１のパラメーターを調整可能であることを示している。
一方、「種別Ｃ１」における「調整項目Ｃ１４」（項目名：「色の濃さ」）には「無効」が設定されているのに対し、「種別Ｃ２」の同項目には「有効」が設定されている。これは、当該調整項目Ｃ１４の機能が「種別Ｃ１」では無効であるが、「種別Ｃ２」では有効であることを示し、また、当該調整項目Ｃ１４が「種別Ｃ１」では調整不可であるが、「種別Ｃ２」では調整可能であることを示している。
【００２６】
図４は、パラメーター保存テーブルＴＢＬ２の一部を示す図である。
パラメーター記憶領域６１２は、使用者が後述するメニュー画像を操作することで調整されたパラメーターが保存されるパラメーター保存テーブルＴＢＬ２を記憶している。このパラメーター保存テーブルＴＢＬ２には、それぞれメモリー番号が付された複数のメモリー領域が設けられ、当該メモリー領域には、「情報」、「画質」及び「映像」の項目がそれぞれ設けられている。
【００２７】
このうち、「情報」の項目には、画像信号の信号種別を示すパラメーターが保存される領域が設定されている。また、「画質」及び「映像」の項目には、それぞれ前述の調整項目Ｃ１１〜Ｃ１８，Ｃ２１〜Ｃ２４のパラメーターを保存する保存領域が設定されている。そして、当該各項目の保存領域には、保存フラグが保存される領域と、パラメーターが保存される領域（内容保存領域）とがそれぞれ設けられている。
【００２８】
この保存フラグは、本発明の第２情報に相当するものであり、「情報」項目に保存されるパラメーターにより示される画像信号の信号種別で調整可能な項目であるか否かを示すフラグである。換言すると、保存フラグは、当該信号種別の画像信号が入力された場合に、当該調整項目の機能が有効であるか否かを示すフラグである。
すなわち、保存フラグが「有効」であるとは、該当する信号種別の画像信号が入力された場合に、当該保存フラグを有する調整項目のパラメーター調整が可能であり、当該調整項目の機能が有効となることを示す。
また、保存フラグが「無効」であるとは、該当する信号種別の画像信号が入力された場合に、当該保存フラグを有する調整項目のパラメーター調整が不可であり、当該調整項目の機能が無効となることを示す。
【００２９】
なお、詳しい図示を省略したが、記憶部６１は、これら調整項目テーブルＴＢＬ１及びパラメーター保存テーブルＴＢＬ２の他に、ある調整項目のパラメーターに応じた他の調整項目の調整可否（当該他の調整項目の機能の有効／無効）を示す制限情報が設定された調整制限テーブルを記憶している。この調整制限テーブルには、例えば、「カラーモード」を調整する調整項目Ｃ１１において特定のモードが選択されている場合に、他の調整項目（「色合い」を調整する調整項目Ｃ１５等）の機能が無効になることを示す制限情報が設定されている。すなわち、調整項目テーブルＴＢＬ１及び調整制限テーブルは、本発明の第３情報に相当する。
【００３０】
〔情報取得部の構成〕
図２に戻り、情報取得部６２は、前述の調整項目テーブルＴＢＬ１、パラメーター保存テーブルＴＢＬ２及び調整制限テーブルに保存された各種情報を取得する。このような情報取得部６２は、種別取得部６２１、調整項目取得部６２２、制限情報取得部６２３、メモリー番号取得部６２４、取得項目設定部６２５、フラグ判定部６２６及びパラメーター取得部６２７を有する。
種別取得部６２１は、入力手段４に入力される画像信号のうち、表示手段３による画像表示に用いる画像信号として現在選択されている画像信号の信号種別を取得する。
調整項目取得部６２２は、後述するメニュー画像生成時に、調整項目テーブルＴＢＬ１を参照して、種別取得部６２１により取得された信号種別に応じた調整項目Ｃ１１〜Ｃ１８，Ｃ２１〜Ｃ２４の項目名及び「有効／無効」の情報を取得する。
制限情報取得部６２３は、調整制限テーブルを参照して、前述の制限情報を取得する。
【００３１】
メモリー番号取得部６２４、取得項目設定部６２５、フラグ判定部６２６及びパラメーター取得部６２７は、後述するメニュー画像にて「メモリー呼出」が選択され、表示されたメニュー画像中のメモリー番号が選択された場合等に機能する。
このうち、メモリー番号取得部６２４は、当該メニュー画像にて選択されたメモリー番号（選択メモリー番号）を取得する。
取得項目設定部６２５は、選択メモリー番号に応じたパラメーター保存テーブルＴＢＬ２のメモリー領域を参照する際に、当該メモリー領域に設定されている調整項目Ｃ１１〜Ｃ１８，Ｃ２１〜Ｃ２４から、パラメーターの取得対象となる調整項目（取得対象項目）を設定する。
フラグ判定部６２６は、本発明の第２判定部に相当し、設定された取得対象項目の保存フラグが「有効」であるか否かを判定する。
パラメーター取得部６２７は、保存フラグが「有効」であると判定された場合に、取得対象項目の「保存内容」に保存されたパラメーターを取得する。
【００３２】
〔画像生成部の構成〕
画像生成部６３は、表示手段３により表示させる画像を生成する。この画像生成部６３は、画像処理部６３１、メニュー生成部６３２及び画像合成部６３３を有する。
画像処理部６３１は、入力手段４を介して入力される画像信号のうち、使用者により選択された入力ソース（外部機器）からの画像信号を処理して、当該画像信号に応じた画像を描画する。この際、画像処理部６３１は、情報取得部６２にパラメーター保存テーブルＴＢＬ２を参照させ、当該画像信号の信号種別に応じた各調整項目のパラメーターを取得して、当該パラメーターに応じた画質補正及び処理を行う。
【００３３】
メニュー生成部６３２は、入力手段４及び操作手段５から入力される操作信号に応じて、メニュー画像を生成する。この際、メニュー生成部６３２は、情報取得部６２に前述の各テーブルを参照させ、当該情報取得部６２により取得された調整項目が含まれるメニュー画像を生成する。なお、当該メニュー画像の構成については、後に詳述する。
画像合成部６３３は、画像処理部６３１により描画された画像に、メニュー生成部６３２により生成されたメニュー画像を合成した画像を生成する。この画像が表示手段３により表示されると、メニュー画像はＯＳＤ表示される。なお、メニュー画像が生成されていない場合には、画像合成部６３３による画像の合成は行われない。
【００３４】
〔駆動制御部の構成〕
駆動制御部６４は、現在選択されているメモリー番号に応じたメモリー領域の各パラメーターを情報取得部６２により取得させ、当該パラメーターに応じたプロジェクター本体２の制御を行う。例えば、駆動制御部６４は、当該パラメーター（例えば「カラーモード」）に応じて、光源装置３１の点灯状態を制御する。また、駆動制御部６４は、画像生成部６３により生成された画像に応じた駆動信号を光変調装置３２に出力し、当該画像を表示手段３に表示させる。
【００３５】
〔情報保存部の構成〕
情報保存部６５は、表示されたメニュー画像が使用者により操作され、後述する「メモリー登録」が選択された場合に、パラメーター保存テーブルＴＢＬ２における該当するメモリー番号のメモリー領域に、調整されたパラメーターを保存する。このような情報保存部６５は、メモリー番号取得部６５１、種別取得部６５２、保存項目設定部６５３、保存項目判定部６５４及びパラメーター保存部６５５を有する。
【００３６】
メモリー番号取得部６５１は、選択されたメモリー番号を取得する。
種別取得部６５２は、本発明の状態取得部に相当し、種別取得部６２１と同様に、現在選択されている画像信号の信号種別を取得する。すなわち、本実施形態では、本発明の使用状態は、使用者により選択された画像信号の信号種別に応じた当該画像信号に基づく画像生成状態を意味する。
保存項目設定部６５３は、取得されたメモリー番号に応じたパラメーター保存テーブルＴＢＬ２のメモリー領域を参照して、当該メモリー領域に設定されている複数の保存項目から、１つの保存項目を保存対象項目に設定する。
保存項目判定部６５４は、本発明の第１判定部に相当する。この保存項目判定部６５４は、調整項目テーブルＴＢＬ１及び調整制限テーブルを参照して、保存対象項目が種別取得部６５２により取得された信号種別で調整可能か否か、換言すると、保存対象項目の機能が当該信号種別の画像信号に基づく画像表示に際して有効であるか否かを判定する。
【００３７】
パラメーター保存部６５５は、本発明の保存部に相当する。
このパラメーター保存部６５５は、取得されたメモリー番号に応じたメモリー領域の「信号種別」に、種別取得部６５２により取得された画像信号の信号種別を示すパラメーターを保存する。この信号種別を示すパラメーターは、本発明の第１情報に相当する。
また、パラメーター保存部６５５は、保存項目判定部６５４により有効と判定された場合（調整可能と判定された場合）には、パラメーター保存テーブルＴＢＬ２における該当する保存対象項目の「保存フラグ」に「有効」を保存するとともに、「保存内容」にメニュー画像にて調整されたパラメーターを保存する。一方、保存項目判定部６５４により有効でない判定された場合（調整不可と判定された場合）には、パラメーター保存部６５５は、該当する保存対象項目の「保存フラグ」に「無効」を保存し、パラメーターの保存を行わない。
【００３８】
〔メニュー画像による設定〕
図５は、メニュー画像ＭＰの構成を示す図である。
以下、メニュー生成部６３２により生成され、表示手段３により表示されるメニュー画像の構成、及び、当該メニュー画像の操作について説明する。
メニュー生成部６３２は、メニュー画像を表示させる操作信号が入力されると、図５に示すメニュー画像ＭＰを生成する。このメニュー画像ＭＰの左側には第１領域Ａ１が設定され、当該第１領域Ａ１には、「画質」、「映像」、「設定」、「メモリー」、「情報」及び「初期化」とそれぞれ標記されたタブＴ１〜Ｔ６が縦列に配置される。また、メニュー画像ＭＰの右側には第２領域Ａ２が設定され、当該第２領域Ａ２には、選択されたタブに応じた調整欄及び選択欄が配置される。更に、メニュー画像ＭＰの下方には、操作の説明が表示される第３領域Ａ３が設定される。
【００３９】
図６及び図７は、「画質」と標記されたタブＴ１が選択された場合に生成されるメニュー画像ＭＰ１，ＭＰ２を示す図である。
メニュー画像ＭＰの表示時にタブＴ１が選択されると、メニュー生成部６３２は、現在選択されている画像信号の信号種別に応じた画質調整用のメニュー画像を生成する。
例えば、現在選択されている画像信号の信号種別が「種別Ｃ１」である場合には、調整項目取得部６２２により、前述の調整項目テーブルＴＢＬ１における信号種別が「種別Ｃ１」である領域が参照され、「画質」項目から調整項目Ｃ１１〜Ｃ１８の項目名及び「有効／無効」の内容が取得される。そして、メニュー生成部６３２は、調整項目Ｃ１１〜Ｃ１８のうち、「有効／無効」に「有効」が設定されている調整項目の調整欄ＡＣが第２領域Ａ２に配置されたメニュー画像ＭＰ１（図６）を生成する。このため、当該メニュー画像ＭＰ１においては、「有効／無効」に「無効」が設定されている調整項目Ｃ１４，Ｃ１５である「色の濃さ」及び「色合い」の調整欄は配置されない。
【００４０】
また、現在選択されている画像信号の信号種別が「種別Ｃ２」である場合には、同様に、信号種別が「種別Ｃ２」である領域の「画質」項目から調整項目Ｃ１１〜Ｃ１８の項目名及び「有効／無効」の内容が取得される。そして、メニュー生成部６３２は、調整項目Ｃ１１〜Ｃ１８のうち、「有効／無効」に「有効」が設定されている調整項目の調整欄ＡＣが第２領域Ａ２に配置されたメニュー画像ＭＰ２（図７）を生成する。このため、当該メニュー画像ＭＰ２においては、メニュー画像ＭＰ１においては表示されなかった調整項目Ｃ１４，Ｃ１５である「色の濃さ」及び「色合い」の調整欄ＡＣが配置される。
【００４１】
図８及び図９は、「映像」と標記されたタブＴ２が選択された場合に生成されるメニュー画像ＭＰ３，ＭＰ４を示す図である。
メニュー画像ＭＰの表示時にタブＴ２が選択されると、メニュー生成部６３２は、現在選択されている画像信号の信号種別に応じた画像出力調整用のメニュー画像を生成する。
例えば、現在選択されている画像信号の信号種別が「種別Ｃ１」である場合には、同様に、信号種別が「種別Ｃ１」である領域の「映像」項目から調整項目Ｃ２１〜Ｃ２４の項目名及び「有効／無効」の内容が取得される。そして、メニュー生成部６３２は、調整項目Ｃ２１〜Ｃ２４の調整欄ＡＣが第２領域Ａ２に配置されたメニュー画像ＭＰ３（図８）を生成する。この際、メニュー生成部６３２は、調整項目Ｃ２１〜Ｃ２４のうち、「有効／無効」に「無効」が設定されている調整項目の調整欄ＡＣをグレーアウトさせ、当該調整欄ＡＣに対する調整を不可とする。
【００４２】
また、当該信号種別が「種別Ｃ２」である場合には、同様に、信号種別が「種別Ｃ２」である領域の「映像」項目から調整項目Ｃ２１〜Ｃ２４の項目名及び「有効／無効」の内容が取得される。そして、メニュー生成部６３２は、「種別Ｃ２」に応じたメニュー画像ＭＰ４（図９）を生成する。このため、メニュー画像ＭＰ３では、「表示位置」と標記された調整項目Ｃ２２の調整欄ＡＣがグレーアウトされ、メニュー画像ＭＰ４では、「表示位置」、「プログレッシブ変換」及び「動き検出」と標記された調整項目Ｃ２２〜Ｃ２４の各調整欄ＡＣがグレーアウトされる。
【００４３】
なお、これらメニュー画像ＭＰ１〜ＭＰ４の生成及び操作時には、制限情報取得部６２３により調整制限テーブルの制限情報が取得され、当該制限情報に基づく制限が課される。このため、図示を省略するが、調整欄ＡＣの調整状態によっては、他の調整欄ＡＣがグレーアウトされて調整不可となり、また、ある調整欄ＡＣの調整状態によっては、他の調整欄ＡＣの調整が可能となる。
【００４４】
図１０及び図１１は、「メモリー」と標記されたタブＴ４が選択された場合に生成されるメニュー画像ＭＰ５，ＭＰ６を示す図である。
メニュー画像ＭＰが表示されている状態でタブＴ４が選択されると、メニュー生成部６３２は、図１０に示すメニュー画像ＭＰ５を生成する。このメニュー画像ＭＰ５の第２領域Ａ２内には、「メモリー呼出」、「メモリー登録」及び「メモリー削除」の各選択欄ＳＣが含まれる。
【００４５】
〔パラメーター保存処理〕
メニュー画像ＭＰ５の表示時に「メモリー登録」が選択されると、メニュー生成部６３２は、図１１に示すメニュー画像ＭＰ６を生成する。
このメニュー画像ＭＰ６の第２領域Ａ２内には、パラメーター保存テーブルＴＢＬ２の各メモリー領域に付されたメモリー番号が含まれる選択欄ＳＣがそれぞれ配置される。そして、使用者により所定の選択欄ＳＣが選択されると、調整された各項目のパラメーターをパラメーター保存テーブルＴＢＬ２に保存するパラメーター保存処理を実行する。このパラメーター保存処理は、記憶部６１に記憶されたパラメーター管理プログラムを構成するパラメーター保存プログラムに沿って行われる。
【００４６】
図１２は、パラメーター保存処理を示すフローチャートである。
パラメーター保存処理では、図１２に示すように、まず、メモリー番号取得部６５１が、使用者により選択された選択欄ＳＣのメモリー番号を取得する（ステップＳＰ１１）。
次に、種別取得部６５２が、現在選択されている画像信号の信号種別を取得し（ステップＳＰ１２）、パラメーター保存部６５５が、取得された信号種別を示すパラメーターを、該当するメモリー番号に応じたメモリー領域の「信号種別」に保存する（ステップＳＰ１３）。
【００４７】
この後、保存項目設定部６５３が、該当するメモリー領域に設定された調整項目の１つを保存対象項目に設定する（ステップＳＰ１４）。
そして、保存項目判定部６５４が、当該保存対象項目の機能が、種別取得部６５２により取得された信号種別で有効であるか否かを判定する（ステップＳＰ１５）。
ここで、保存項目判定部６５４により有効であると判定されると、パラメーター保存部６５５は、該当する保存対象項目の「保存フラグ」に「有効」を保存し（ステップＳＰ１６）、当該保存対象項目の「保存内容」に、調整されたパラメーターを保存する（ステップＳＰ１７）。この後、パラメーター保存処理は、ステップＳＰ１９に移行される。
一方、保存項目判定部６５４により有効でない（無効である）と判定されると、パラメーター保存部６５５は、保存対象項目の「保存フラグ」に「無効」を保存する（ステップＳＰ１８）。そして、パラメーター保存処理は、ステップＳＰ１９に移行される。
【００４８】
これらの後、保存項目設定部６５３が、調整項目Ｃ１１〜Ｃ１８，Ｃ２１〜Ｃ２４の全てが保存対象項目に設定されたか否か、換言すると、当該各調整項目の全てに対する保存フラグの保存が完了したか否かを判定する（ステップＳＰ１９）。
ここで、保存項目設定部６５３により、保存フラグの保存が完了していない調整項目があると判定した場合には、ステップＳＰ１４に戻り、当該保存項目設定部６５３により、次の調整項目が保存対象項目に設定される。
一方、保存項目設定部６５３により、保存フラグの保存が全ての調整項目で完了したと判定された場合には、情報保存部６５によるパラメーター保存処理が終了する。
以上により、メニュー画像にて使用者により調整されたパラメーターが、パラメーター保存テーブルＴＢＬ２に保存される。
【００４９】
〔パラメーター取得処理〕
メニュー画像ＭＰ５の表示時に「メモリー呼出」が選択されると、メニュー生成部６３２は、前述のメニュー画像ＭＰ６と同様のメニュー画像を生成する。そして、使用者により所定の選択欄ＳＣが選択されると、情報取得部６２は、該当するメモリー番号に応じたパラメーター保存テーブルＴＢＬ２のメモリー領域を参照し、当該メモリー領域に保存されたパラメーターを取得するパラメーター取得処理を実行する。このパラメーター取得処置は、記憶部６１に記憶されたパラメーター管理プログラムを構成するパラメーター取得プログラムに沿って行われる。
【００５０】
図１３は、パラメーター取得処理を示すフローチャートである。
パラメーター取得処理では、図１３に示すように、まず、メモリー番号取得部６２４が、選択されたメモリー番号を取得する（ステップＳＰ２１）。
次に、取得項目設定部６２５が、取得されたメモリー番号に応じたメモリー領域の調整項目のうち１つを取得対象項目に設定する（ステップＳＰ２２）。
この後、フラグ判定部６２６が、取得対象項目の「保存フラグ」を取得して、当該「保存フラグ」が「有効」であるか否かを判定する（ステップＳＰ２３）。
【００５１】
ここで、フラグ判定部６２６により、当該「保存フラグ」が「有効」であると判定されると、パラメーター取得部６２７が、取得対象項目の保存内容を参照して、当該保存内容に保存されているパラメーターを取得する（ステップＳＰ２４）。この後、情報取得部６２は、処理をステップＳＰ２５に移行する。
一方、フラグ判定部６２６により、当該「保存フラグ」が「無効」であると判定されると、パラメーター取得部６２７によるパラメーターの取得は行われずに、情報取得部６２は、処理をステップＳＰ２５に移行する。
【００５２】
これらの後、取得項目設定部６２５が、全ての調整項目Ｃ１１〜Ｃ１８，Ｃ２１〜Ｃ２４が取得対象項目に設定されたか否か、換言すると、当該調整項目の全てに対する保存フラグの判定が完了したか否かを判定する（ステップＳＰ２５）。
ここで、取得項目設定部６２５により、当該判定が完了していない調整項目があると判定された場合には、情報取得部６２は、ステップＳＰ２２に戻る。そして、取得項目設定部６２５により、次の調整項目が取得対象項目に設定される。
一方、取得項目設定部６２５により、保存フラグの判定が全ての調整項目で完了したと判定された場合には、情報取得部６２によるパラメーター取得処理が終了する。
以上により、パラメーター取得処理が終了する。
【００５３】
そして、メニュー生成部６３２により、パラメーターが取得された調整項目（保存フラグが「有効」であった調整項目）の項目名が含まれ、かつ、当該パラメーターが反映された調整欄ＡＣと、パラメーターが取得されなかった調整項目（保存フラグが「無効」であった調整項目）の項目名が含まれ、かつ、調整不可である調整欄ＡＣとが第２領域Ａ２に配置されたメニュー画像が生成される。また、取得されたパラメーターが適用されることで、当該パラメーターに応じたプロジェクター本体２の制御が、駆動制御部６４により行われる。
【００５４】
以上説明した本実施形態に係るプロジェクター１によれば、以下の効果がある。
パラメーターの保存時では、保存項目判定部６５４により、選択されている信号種別で調整項目の機能が有効と判定された場合には、パラメーター保存テーブルＴＢＬ２における当該調整項目の領域に、「有効」を示す保存フラグとパラメーターとが保存され、無効と判定された場合には、当該領域に「無効」を示す保存フラグが保存される。これによれば、パラメーターの取得時において、当該保存フラグを参照することで、調整項目の機能が有効であるか否かを判定することができるので、各信号種別でのパラメーターの取得処理を共通化することができる。このため、信号種別ごとに異なるパラメーター取得プログラムを用意し、当該プログラムに沿ってそれぞれ異なる判定処理にて、調整項目の機能が有効か否かを判定する場合に比べ、パラメーターの取得処理を簡略化させることができる。そして、パラメーター取得時に、フラグ判定部が当該保存フラグを参照することで、調整項目の有効及び無効を判定することができる。従って、機能が有効となる調整項目のパラメーターを簡易に取得することができる。
【００５５】
使用者により選択され、種別取得部６５２により取得された画像信号の信号種別に基づいて、保存項目判定部６５４が、記憶部６１に記憶された調整項目テーブルＴＢＬ１及び調整制限テーブルを参照することにより、現在の使用状態で調整項目の機能が有効であるか否かを簡易に判定することができる。従って、保存項目判定部６５４による判定処理を簡略化することができるほか、当該判定処理の精度を向上することができる。
【００５６】
情報取得部６２により、使用者により選択されたメモリー番号に応じたメモリー領域から、機能が有効となる調整項目のパラメーターが取得されるので、画像処理部６３１及び駆動制御部６４が、当該パラメーターに応じた画像生成処理及び駆動制御処理を実行することができる。この際、不要なパラメーターの取得が省略されるので、画像生成処理及び駆動制御処理を簡略化することができる。
【００５７】
前述のメニュー画像を操作することで画質に関する調整項目が調整され、情報取得部６２により、選択された画像信号の信号種別に応じて機能が有効となる調整項目のパラメーターが適切に取得される。これによれば、使用者の所望の画質を有する画像を適切に生成及び表示することができる。
【００５８】
〔実施形態の変形〕
本発明は前述の実施形態に限定されるものではなく、本発明の目的を達成できる範囲での変形、改良等は本発明に含まれるものである。
前記実施形態では、本発明の電子機器として、入力される画像信号に応じた画像の生成及び表示を行うプロジェクターを例示したが、本発明はこれに限らない。すなわち、調整項目のパラメーターを調整可能で、かつ、当該調整項目の機能が使用状態に応じて有効又は無効となる電子機器であれば、本発明を適用可能である。例えば、印刷用紙に応じて、調整項目の機能が有効又は無効となるプリンターにも、本発明を適用可能である。また、プロジェクターに限らず、他の画像表示装置でもよく、更には、生成した画像を画像表示装置に出力する画像生成装置にも、本発明を適用可能である。
【００５９】
前記実施形態では、使用状態として、使用者により選択された信号種別の画像信号に応じた画像生成状態を挙げたが、本発明はこれに限らない。例えば、複数設定された使用モードのうち、使用者により選択された使用モードに基づいて機能が有効又は無効となる調整項目があれば、当該使用モードに応じた駆動状態が本発明の使用状態となる。また、例えば、電子機器が配置される環境の要件等により、機能が有効又は無効となる調整項目がある場合には、当該環境下で電子機器が動作する状態が本発明の使用状態となる。
【００６０】
前記実施形態では、パラメーター管理プログラムは、フラッシュメモリーにより構成された記憶部６１に記憶されているとしたが、本発明はこれに限らない。例えば、当該プログラムが、ＣＤ及びＤＶＤ等のディスク型記録媒体、並びに、ＨＤＤ（Hard Disk Drive）等の磁気ディスク装置等に記憶され、前述のパラメーター保存処理及びパラメーター取得処理を実行する際に、制御手段６が当該プログラムを適宜読み出すように構成してもよい。また、パラメーター保存処理を実行させるプログラム、及び、パラメーター取得処理を実行させるプログラムをそれぞれ別の記録媒体に記録させておいてもよい。更に、これらプログラムをそれぞれ個別に提供してもよい。
【産業上の利用可能性】
【００６１】
本発明は、プロジェクター等の画像表示装置に利用できる他、各種電子機器にも利用できる。
【符号の説明】
【００６２】
１…プロジェクター（電子機器）、４…入力手段（入力部）、６１…記憶部、６２６…フラグ判定部（第２判定部）、６２７…パラメーター取得部、６３１…画像処理部、６５２…種別取得部（状態取得部）、６５４…保存項目判定部（第１判定部）、６５５…パラメーター保存部（保存部）、ＳＰ１５…ステップ（第１判定ステップ）、ＳＰ１６〜ＳＰ１８…ステップ（保存ステップ）。
【図１】
2011101081.tif 000003
【図２】
2011101081.tif 000004
【図３】
2011101081.tif 000005
【図４】
2011101081.tif 000006
【図５】
2011101081.tif 000007
【図６】
2011101081.tif 000008
【図７】
2011101081.tif 000009
【図８】
2011101081.tif 000010
【図９】
2011101081.tif 000011
【図１０】
2011101081.tif 000012
【図１１】
2011101081.tif 000013
【図１２】
2011101081.tif 000014
【図１３】
2011101081.tif 000015